(57)【要約】【課題】ノンストップＣＤを録音する場合にも１曲目から順番に録音する必要がなく、曲順に関係なく録音しても音声データを連続して記録することができ、再生時に音声をつなげることができる情報記録再生装置、情報記録再生方法およびそのプログラムを提供する。【解決手段】システムコントローラは、ＣＤからＴＯＣを取得し（Ｓ２）、ＣＤＤＢの検索を開始する（Ｓ３）。この場合、システムコントローラは１曲目の終端付近からＣＤを再生させる（Ｓ７）。ＣＤからサブコードを取得することで曲の切れ目付近を判断し、曲間データ（ＣＤデータ）を数サンプルに保存する（Ｓ８,Ｓ９,Ｓ１０）。そして、最終前トラック（Ｓ６）までＳ７〜Ｓ１０を繰り返し、全トラックの曲間データを保存する。ＣＤＤＢの検索が終了すれば（Ｓ４）、その情報を元にＨＤＤ上にプレイリストを作成する。そして、プレイリストと全トラックの曲間データを関連付けてＨＤＤに保存する（Ｓ５）。【選択図】  図４
2007172668.tif 000002
【特許請求の範囲】
【請求項１】
複数のコンテンツ情報が記録された情報記録媒体から前記コンテンツ情報を再生する再生手段と、
前記再生手段により再生された前記コンテンツ情報を記録する記録手段と、
前記再生手段と前記記録手段を制御する制御手段と、を備えた情報記録再生装置において、
前記制御手段は、一のコンテンツ情報の先頭から所定量の情報における終端位置を示すデータを前記一のコンテンツ情報に対応して前記記録手段に記録させ、任意に選択されたコンテンツ情報を前記記録手段に記録する際には、前記選択されたコンテンツ情報に対応する前記データと、前記選択されたコンテンツ情報の再生位置を示すデータとが一致したときに前記選択されたコンテンツ情報の前記記録手段への記録を開始させることを特徴とする情報記録再生装置。
【請求項２】
前記所定量の情報における終端位置は、前記記録手段におけるコンテンツ情報の最小記録単位の終端位置であることを特徴とする請求項１に記載の情報記録再生装置。
【請求項３】
前記一のコンテンツ情報の先頭から前記所定量の情報における終端位置までの時間に対応するカウント値を算出するカウンタを備え、
前記制御手段は、前記カウンタにより算出されたカウント値を取得して前記一のコンテンツ情報に対応して前記記録手段に記録させ、任意に選択されたコンテンツ情報を前記記録手段に記録する際には、前記カウンタにより算出されるカウント値と前記取得したカウント値とが一致したときに前記選択されたコンテンツ情報の前記記録手段への記録を開始することを特徴とする請求項１又は２に記載の情報記録再生装置。
【請求項４】
複数のコンテンツ情報が記録された情報記録媒体から一のコンテンツ情報を再生して、前記一のコンテンツ情報における先頭から所定量の情報における終端位置を示すデータを前記一のコンテンツ情報に対応して記録するステップと、
任意に選択されたコンテンツ情報を再生するステップと、
再生されたコンテンツ情報の再生位置を示すデータと前記選択されたコンテンツ情報に対応するデータとが一致したかを判断するステップと、
一致すると判断されたときに前記選択されたコンテンツ情報の記録を開始するステップと、
を有することを特徴とする情報記録方法。
【請求項５】
請求項４に記載された情報記録方法をコンピュータに実行させることを特徴とする情報記録プログラム。
【発明の詳細な説明】
【技術分野】
【０００１】
本発明は、情報記録再生装置、情報記録方法および情報記録プログラムに関する。
【背景技術】
【０００２】
プログラム情報を再生して記録する情報記録再生装置として、例えば、コンパクトディスク等の情報記録媒体に記録された複数の音楽データを再生してハードディスクに記録させ、その記録された複数の音楽データをハードディスクから読み出して再生する情報記録再生装置がある。
【０００３】
このハードディスクを搭載した情報記録再生装置では、例えば、コンパクトディスクに記録された複数の音楽データを各種フォーマットに基づき圧縮してハードディスクに記録させるとともに、ハードディスクに記録された複数の音楽データを順次読み出し伸張して再生する。その圧縮方式として、例えば、MP3（MPEG1：Moving Picture Experts Group１；オーディオ・レイヤIII）、ATRAC（Adaptive Transform Acoustic Coding）を改良したATRAC3等がある。
【０００４】
例えば、複数のコンパクトディスク等の情報記録媒体に記録されている音楽データをすべてハードディスクに記録し、このハードディスクから音楽データを読み出して再生する情報記録再生装置によれば、音楽データの再生時はハードディスクから音楽データが読み出されるため、ユーザはコンパクトディスクの交換は不要であり快適な連続再生を行うことができる。
【０００５】
上述の情報記録再生装置にあっては、例えば、ノンストップＣＤのように、音の切れ目がなく複数の音楽データを再生する情報記録媒体から複数の音楽データをハードディスクに記録する際には、中断することなく継続して記録しないとノンストップＣＤと同様な音切れのない音楽データの再生を実現することができない。従って、ハードディスクに圧縮して記録された音楽データ（以下、圧縮音楽データと称して説明する）の再生時にトラック間で音切れが発生し、それを聞くユーザに不自然な感じを与える場合がある。
【０００６】
継続して音楽データを記録しない場合、その記録された圧縮音楽データの再生時にトラック間で音切れが発生する理由について、以下に説明する。
図１（ａ）は、ハードディスクに記録された複数の音楽データを続けて再生する際に無音データが再生されて音切れが発生してしまうことを示す説明図である。
図１（ａ）において、模式的に示されているデータ構造のうちの上半分（上から２段分）がＣＤに記録されている音楽データ、下半分（下から２段分）がハードディスクに録音される音楽データを示している。ＣＤにはトラック（Track）単位で音楽データが記録されているのに対し、ハードディスクではファイル（FILE）単位で圧縮音楽データが記録される。
【０００７】
ここで、Trackの区切りはＣＤに記録されている音楽データの区切りを示す。換言すれば、１Trackの音楽データは１曲であり、Trackの区切りはある曲とその曲の次に再生される曲との区切りを示す。また、ＣＤ内のデータ構造の最小単位はフレームと呼ばれており、ＣＤにおける一つのTrackは、所定数のフレームにより細分化されている。また、ハードディスクにおける圧縮音楽データを格納するFILEのデータ構造の最小記録単位はブロックと呼ばれており、通常、圧縮音楽データを格納するFILEは、所定数のブロックにより分割されている。なお、このFILEには複数の圧縮音楽データが格納可能に構成されている。
【０００８】
図１（ａ）からも分かるように、ＣＤにおける１フレーム長とFILEにおける１ブロック長とが異なること、及びそれらに記録されている、又は格納されている音楽データが圧縮されていない、又は圧縮されているという違いから、ＣＤの１Trackの音楽データをFILEに格納したとしても、FILEのブロック内終端に収まるという場合は少なく、殆どが未記録領域を残した状態となる。
【０００９】
図１（ａ）に示すように、ＣＤからハードディスクにTrack n-1の音楽データを記録する場合、ＣＤにおけるTrack n-1とTrack nとのTrackの区切りで記録を終了し、ハードディスクにFILEを作成してTrack n-1の圧縮音楽データを格納する。しかしながら、Track n-1における最終ブロックの末尾に至らない途中でTrack n-1の音楽データの格納が終了してしまう場合には、その途中位置から末尾までの未記録領域に無音データを記録してTrackn-1における最終ブロックに対する圧縮音楽データの格納を終了させる。これにより、ハードディスクのFILE のTrack n-1に対する最終ブロックには無音部分（図１（ａ）の網掛け部分）が形成される。
【００１０】
図１（ｂ）は、ハードディスクにTrack nの音楽データを記録する場合の説明図である。ハードディスクにTrack nの音楽データを記録する場合は、Track n-1とTrack nとのTrackの区切りからTrack nの音楽データを再生し、ハードディスクのFILEにおけるTrack nに対する最初のブロックの先頭から圧縮音楽データとして格納する。したがって、ハードディスクに記録されたTrack n-1とTrack nの圧縮音楽データを続けて再生すると無音データの再生により音切れが発生する。
【００１１】
上記は、無音データを未記録領域に格納しその無音データの再生により音切れが発生する場合であるが、図２の例では、Track nの音楽データの先頭部分をハードディスクのTrack n-1における最終ブロックの未記録領域に格納して、Track n-1における最終ブロックに対する圧縮音楽データの格納を終了させている場合である。この場合では、Track nの先頭部分（網掛け部分）がTrack n-1の最終ブロックに記録される。このようにすることで、ハードディスクに記録されたTrack n-1とTrack nの圧縮音楽データを続けて再生すると音切れが発生することを解消することができる。
【００１２】
しかしながら、ＣＤのTrack nの音楽データを録音する場合は、図１（ｂ）と同様に、Track n-1とTrack nとのTrackの区切りからTrack nの音楽データを再生し、ハードディスクのFILEにおけるTrack nに対する最初のブロックの先頭から圧縮音楽データとして格納することになる。そうなると、ハードディスクに記録されたTrack n-1とTrack nの圧縮音楽データを続けて再生するとTrack nの先頭部分が重複して再生されてしまうことになり、この場合でもユーザに不自然な感じを与えることになる。
【００１３】
このように、ＣＤのTrack n-1とTrack nの音楽データをハードディスクに継続して記録しなかった場合に、ＣＤのTrack n-1の音楽データの末尾が記録された時点で、ハードディスク内の圧縮音楽データの最終ブロックに途中までしか格納されていない場合は、無音データを最終ブロックの未記録領域（残り部分）に格納するため、Track n-1の圧縮音楽データとTrack nの圧縮音楽データを続けて再生しても、音切れが発生してしまう。
【００１４】
また、それを解消すべく、ＣＤのTrack n-1の音楽データの末尾が記録された時点で、ハードディスク内の圧縮音楽データの最終ブロックに途中までしかデータが格納されていない場合に、最終ブロックの未記録領域（残り部分）にTrack nの先頭データを格納したとしても、重複した圧縮音楽データが記録されてしまうことになり、Track n-1とTrack nを続けて再生すると、Track nの先頭部分を重複して再生してしまう。
【００１５】
曲間をスムーズに連結して再生するための一つの方法として、曲の終りの部分を低音量やフェードアウトさせながら再生するとともに、次の曲を同時に再生するように設定することにより曲間を円滑に連結し、テンポよく再生する方法が提案されている（例えば、特許文献１参照）。
【特許文献１】特開２００３−５８１９２（図３）
【発明の開示】
【発明が解決しようとする課題】
【００１６】
しかしながら、特許文献１に記載の方法は、トラックの間に生じている音切れを低音量化、または、フェードアウトすることにより連結させてテンポよく再生させているにすぎず、例えば、ノンストップＣＤのような、本来の再生形態を実現するものではない。したがって、厳密にノンストップＣＤに記録された音楽データの再生をハードディスクに記録した圧縮音楽データで実現するためには、複数の音楽データを中断することなく継続して記録させる必要があり、任意のタイミングで断続的に記録させることができない。
【００１７】
このように、本発明が解決すべき課題としては、例えば、再生したときにユーザに不自然さを感じさせることがないようにハードディスク等にコンテンツ情報記録させることができる情報記録再生装置、情報記録再生方法並びに情報記録再生プログラムを提供することにある。
【課題を解決するための手段】
【００１８】
本発明の請求項１に記載の情報記録再生装置は、複数のコンテンツ情報が記録された情報記録媒体から前記コンテンツ情報を再生する再生手段と、前記再生手段により再生された前記コンテンツ情報を記録する記録手段と、
前記再生手段と前記記録手段を制御する制御手段と、を備えた情報記録再生装置において、前記制御手段は、一のコンテンツ情報の先頭から所定量の情報における終端位置を示すデータを前記一のコンテンツ情報に対応して前記記録手段に記録させ、任意に選択されたコンテンツ情報を前記記録手段に記録する際には、前記選択されたコンテンツ情報に対応する前記データと、前記選択されたコンテンツ情報の再生位置を示すデータとが一致したときに前記選択されたコンテンツ情報の前記記録手段への記録を開始させることを特徴とする。
【００１９】
本発明の請求項４に記載の情報記録方法は、複数のコンテンツ情報が記録された情報記録媒体から一のコンテンツ情報を再生して、前記一のコンテンツ情報における先頭から所定量の情報における終端位置を示すデータを前記一のコンテンツ情報に対応して記録するステップと、任意に選択されたコンテンツ情報を再生するステップと、再生されたコンテンツ情報の再生位置を示すデータと前記選択されたコンテンツ情報に対応するデータとが一致したかを判断するステップと、一致すると判断されたときに前記選択されたコンテンツ情報の記録を開始するステップと、を有することを特徴とする。
【００２０】
本発明の請求項５に記載の情報記録プログラムは、請求項４に記載された情報記録方法をコンピュータに実行させることを特徴とする。
【発明を実施するための最良の形態】
【００２１】
以下、図面を参照しながら、本発明にかかる情報記録再生装置の実施の形態について詳細に説明する。
【００２２】
本実施形態の情報記録再生装置は、コンパクトディスク（ＣＤ）、ミニディスク（ＭＤ）あるいはＤＶＤ等の情報記録媒体から、ハードディスク（ＨＤＤ）、フラッシュメモリ等からなるデータ記録部へ記録を行う機能を備えた情報記録再生装置であり、カーオーディオ機器あるいはカーナビゲーション機器等の車載機器にも適用可能な装置である。
【００２３】
図３は、本実施形態の情報記録再生装置１００を説明するための概略ブロック図を示す。
情報記録再生装置１００は、ＣＤ再生ブロック１４と、曲間検出デバイス９と、圧縮伸張ディジタルシグナルプロセッサ（以下、圧縮伸張ＤＳＰ）６と、ＨＤＤ１０と、システムコントローラ７と、バッファ８と、Ｄ／Ａ変換器１２と、ＡＭＰ１６と、スピーカ１７とを備えて構成されている。なお、図３では、情報記録媒体として情報記録媒体としてのコンパクトディスク（ＣＤ）１が図示されているが、ＭＤ（Mini Disc）、ＤＶＤ（Digital Versatile Disc）等の光ディスク再生装置にも同様に適用することが可能である。
【００２４】
ＣＤ再生ブロック１４は、ＣＤ１を回転させるスピンドルモータ１１と、ＣＤ１上に読取光を照射してＣＤ１に記憶された情報（音楽データ，動画データ等のコンテンツ情報）を読み取るピックアップ２（情報再生部）と、ピックアップ２をＣＤ１の径方向に移動させるキャリッジ３と、ピックアップ２、キャリッジ３、及びスピンドルモータ１１を駆動するサーボ制御回路４及びドライバ５とを備えている。以下、ＣＤ１に記録されたコンテンツ情報を音楽データとして説明する。
【００２５】
ＣＤ再生ブロック１４は、ＣＤ１がディスクテーブル上にローディングされると再生動作を開始し、スピンドルモータ１１によってＣＤ１４を一定速度で回転駆動する。そして、ピックアップ２により、ＣＤ１にピット形態で記憶されている音楽データが読み出され、図示せぬＲＦアンプに供給される。
【００２６】
ピックアップ２はキャリッジ３上に搭載されており、サーボ制御回路４により制御されるドライバ５によって駆動される。ピックアップ２は、図示せぬレーザダイオード、偏光ビームスプリッタおよび対物レンズから成る光学系、また反射光を検出するための光ディテクタにより構成されている。ピックアップ２の出力は、システムバス１５を通って圧縮伸張ＤＳＰ６に供給される。
【００２７】
サーボ制御回路４は、ＲＦアンプからのフォーカスエラー信号、トラッキングエラー信号、およびデコーダからのスピンドルエラー信号から、フォーカス、トラッキング、スレッド、スピンドル等の各種サーボドライブ信号を生成し、ドライバ５を制御して各種サーボ動作を実行させる。
【００２８】
また、サーボ制御回路４は、復調と誤り訂正の処理を施したデータを圧縮伸張ＤＳＰ６に供給するとともに、ＣＤ１に記録されている識別情報をシステムコントローラ７に供給する。識別情報は、ＣＤ１のリードインエリアに記録されているＴＯＣ（Table of contents）情報等であり、ＴＯＣ情報等は、音楽データの再生条件、音楽データを識別するために付けられているトラック番号等の情報を備えている。
【００２９】
曲間検出デバイス９は、ＣＤ１における再生中の音楽データとその次に再生される音楽データとの曲間を検出する。曲間検出デバイス９は、圧縮伸張ＤＳＰ６に供給される音楽データを監視し、例えば、サブコード情報におけるＱチャンネルのデータから音楽データが曲間に差し掛かったかを監視する。サブコードＱは、再生経過時間を示すデータであり、再生中の音楽データの再生経過時間を監視することで、曲間の検知が可能となる。なお、本実施形態における曲間とは、Ｎ−１トラック末尾からＮトラック先頭の所定量までの音楽データを示し、その間のデータを曲間データとしている。また、この曲間データのデータ量は、圧縮した際にＨＤＤ１０の最小記録単位であるブロックの先頭から末尾まで格納される量としている。
【００３０】
圧縮伸張ＤＳＰ６（制御部）は、サーボ制御回路４から供給される復調と誤り訂正の処理が施されたデータを、例えばATRAC3等の規格に準拠したデータに圧縮変換してＨＤＤ１０（データ記憶部）に記録するとともに、ＨＤＤ１０から読み出した再生信号（圧縮データ）を伸張する。
【００３１】
圧縮伸張ＤＳＰ６から出力されるディジタル音楽データは、一旦バッファメモリ８に書き込まれる。そして、バッファメモリ８から読み出された音楽データは、システムコントローラ７（制御部）の制御により、Ｄ／Ａ変換器１２に供給され、アナログ音楽データとして増幅回路（ＡＭＰ）１６を介してスピーカ１７に供給されて出力される。
【００３２】
ＨＤＤ１０とバッファメモリ８間のデータ転送、圧縮伸張ＤＳＰ６とバッファメモリ８間のデータ転送、およびＣＤ１の再生動作はシステムコントローラ７によって制御される。システムコントローラ７は、ＣＰＵを制御中枢とし、プログラムメモリ、データメモリ、入出力ポート、およびＨＤＤ１０におけるデータ記録時間をカウントするカウンタを含み、プログラムメモリに記録されたプログラムに従いＨＤＤ１０とバッファメモリ８間のデータ転送制御、圧縮伸張ＤＳＰ６とバッファメモリ８間のデータ転送制御を行う。また、再生開始、終了、トラックアクセス、早送り再生、早戻し再生、プログラム再生等の動作も、このシステムコントローラ７が圧縮伸張ＤＳＰ６やピックアップ２を制御することにより実現される。
【００３３】
操作部１３は、例えば、ＬＣＤディスプレイと操作キーから成る。操作部１３には、ユーザが各種操作を行うためのキーが割り付けられている。例えば、再生キー、トラックアクセスキー、停止キー等である。また、複数ＣＤに対して再生させるＣＤ選択のためのキーや、プログラム再生、ランダム再生のための操作キーも設けられている。ＬＣＤディスプレイにはこれらのキーと連動してシステムコントローラ７によって処理される各種情報が表示され、操作部１３はマンマシンインタフェースとして機能する。
【００３４】
次に、本実施形態の情報記録再生装置１００の動作について説明する。
図４は、本実施形態の情報記録再生装置１００において曲間データの保存動作を説明するためのフローチャートである。
【００３５】
情報記録再生装置１００の電源をオンしＣＤ１を挿入すると（ステップＳ１）、システムコントローラ７は、ＣＤ１からＴＯＣを取得し（ステップＳ２）、ＣＤＤＢの検索を開始する（ステップＳ３）。このＣＤＤＢは、ＣＤの演奏者情報やトラックタイトル等の情報が記録されたデータベースであり、情報記録再生装置１００内のＨＤＤ１０に記憶されていてもよいし、図示せぬ通信制御手段により有線又は無線により接続された外部のサーバ等であってもよい。
【００３６】
一方、システムコントローラ７は、このＣＤＤＢの検索と同時に、全トラックの曲間データの保存するための処理（ステップＳ７からステップＳ１０まで）を実行する。まず、ＣＤ１からサブコードＱを取得してＮ−１トラック末尾の音楽データから再生させ（ステップＳ７）、そして曲間データの保存を開始する（ステップＳ８）。Ｎトラック先頭から所定量の音楽データの再生位置を検知したら（ステップＳ９）、曲間データの保存を終了する（ステップＳ１０）。そして、最終トラックにおける曲間データの保存が完了したか否かを判断する（ステップＳ６）。ＣＤ１に記録されている最終トラックの音楽データとその前のトラックの音楽データにおける曲間データの保存が完了していない場合（ステップＳ６：ＮＯ）は、その保存が完了するまでステップＳ７〜Ｓ１０を繰り返し、全トラックに対する曲間データを保存する。
【００３７】
ＣＤＤＢの検索が終了すれば（ステップＳ４）、ＣＤＤＢの検索結果を元にＨＤＤ１０上にプレイリストを作成する。そして、プレイリストと全トラックに対する曲間データを関連付けてＨＤＤ１０に保存する（ステップＳ５）。このプレイリストは、ＴＯＣから得られるトラック番号に対するタイトル情報、アーティスト情報等が付与されたリストであり、そのトラック番号に曲間データとサブコードＱの経過時間情報とを関連付けてＨＤＤ１０に保存する。例えば、Ｎ−１トラックとＮトラックとの曲間データとサブコードＱの経過時間情報とを関連付けて保存する場合には、トラック番号Ｎに対して曲間データの始端、終端の経過時間情報、即ち、曲間データの始端の再生位置を示すデータと終端の再生位置を示すデータ、並びに曲間データを保存する。
【００３８】
図５は、本実施形態の情報記録再生装置１００においての記録動作を説明するためのフローチャートである。ここでは、Ｎ−１トラックの音楽データが先にＨＤＤ１０に記録されている状態で、Ｎトラックの音楽データをＨＤＤ１０に記録する場合の例に挙げて説明する。
ユーザが操作部１３を介してＣＤ１における記録したい音楽データ（Ｎトラックの音楽データ）を選択すると（ステップＳ２１）、システムコントローラ７は、その選択されたＮトラックの前の音楽データ（Ｎ−１トラックの音楽データ）末尾付近からＣＤ１の再生を開始する（ステップＳ２２）。この末尾付近は、ＨＤＤ１０に保存したサブコートＱの経過時間情報を参照することによってその位置を認識することができる。つまり、選択されたトラックアドレスＮの曲間データの始端の経過時間情報を参照することにより、Ｎ−１トラックの末尾付近の再生位置を認識することが可能となり、その位置にピックアップを位置付けることができる。
【００３９】
システムコントローラ７は、ＨＤＤ１０に保存したトラック番号Ｎに対する曲間データの終端の経過時間情報とＣＤ１から再生されている音楽データの経過時間情報とを比較し（ステップＳ２３）、その経過時間情報が一致した再生位置からＣＤ１からの音楽データのＨＤＤ１０への記録を開始する（ステップＳ２４）。
【００４０】
図６は、本実施形態の情報記録再生装置１００におけるＣＤ１とＨＤＤ１０内に作成されるFILEのデータ構造を示す。上半分がＣＤ１の音楽データ（Track n-1の音楽データ、Track nの音楽データ）、下半分がFILEに格納される圧縮された音楽データ（以下、圧縮データと称して説明する）、（Track n-1の圧縮データ、Track nの圧縮データ）を示している。本実施形態の情報記録再生装置１００は、ＣＤ１に記録されているあるトラックの音楽データとその音楽データの次に再生される音楽データとをＨＤＤ１０に順不同で記録したとしても、ＨＤＤ１０に記録された圧縮データを再生したときにそれらトラックの音楽データの境目で再生音が重複しないようにする。それを実現するための実施例を以下に説明する。
（実施例１）
【００４１】
図７（ａ）は、曲間データを使用して実現する場合の曲間データ取得図を示す。この方法では、あらかじめＣＤ１のTrack nの音楽データの曲間データを取得するとともに、その曲間データの始端の再生位置を示すデータと終端の再生位置を示すデータを取得してTrack nに対応付けてＨＤＤ１０に保存しておく。
ここで、先にＨＤＤ１０に保存されているTrack n-1の圧縮データの最終ブロックａには、ＣＤ１のTrack n-1末尾の音楽データとTrack n先頭の所定量の音楽データが記録されている。すなわち、Track n-1の音楽データを記録した際にその最終ブロックａの残りの部分にTrack nの先頭部分の音楽データが格納された状態で記録動作が終了している。
【００４２】
図７（ｂ）は、任意のタイミングで選択されたTrack nの音楽データをＨＤＤ１０に記録する場合の構造の説明図である。
本実施例では、記録時にTrack n-1の終端付近からＣＤ１を再生し、保存しておいたTrack nに対応する曲間データの終端の再生位置を示すデータと、再生しているTrack nの音楽データの再生位置を示すデータが一致したところからTrack nの音楽データのＨＤＤ１０への記録を開始することで、音が繋がった状態で重複することなく再生できることを実現する。
【００４３】
本実施例によれば、Track n-1とTrack n間の曲間付近のデータを読み取り、その曲間付近のデータを参照して、Track nを、Track n-1とTrack nを連続再生可能にＨＤＤ１０に保存するので、例えば、ノンストップＣＤを録音する場合にも１曲目から順番に録音する必要がなく、曲順に関係なく録音しても音声データを連続して記録することができ、再生時に曲間をつなげることができる
【００４４】
（実施例２）
図８（ａ）は、カウンタを用いて実現する場合のカウンタ値を保存する構造の説明図である。
本実施例では、システムコントローラ７内に実装されているカウンタを用いて曲間をつなげる。カウンタを用いる場合には、ＨＤＤ１０への録音の前処理としての曲間データを取得する必要はなく、その代わりにTrack n-1とTrack nを接続する場合には、ＣＤ１からＨＤＤ１０へのTrack n-1の記録時に予め接続用のカウンタ値を取得する。
【００４５】
以下、具体的に説明すると、まずＣＤ１からＨＤＤ１０へのTrack n-1の録音時、曲間検出デバイス９はＨＤＤ１０へのＣＤ再生ブロック１４から読み出される音楽データを監視し、ＣＤ１から読み出されるデータのTrack n-1とTrack nの区切り位置を検出する。そして、ＨＤＤ１０への録音を実行している間に、曲間検出デバイス９がTrack n-1とTrack nの区切り位置を検出すると、ＣＤ１のTrack nの先頭データをＨＤＤ１０へ録音しながら、システムコントローラ７はカウンタによるカウントを開始する。そして、システムコントローラ７は、Track n-1の最終フレームの末端部分のデータが記録されたＨＤＤ１０の圧縮データ中の最終ブロックを参照し、最終ブロック内におけるＣＤ１のTrack n-1の終端が録音された位置から、最終ブロックの未記録部分がTrack nの先頭データにより全て記録されるまでに相当するまで間、カウンタによるカウントを行う。そして、Track n-1の最終ブロックが全て録音されると、Track n-1の録音を終了する。これにより、Track n-1の最終ブロックには、前半部分にTrack n-1の最終フレームのデータが記録され、そして後半部分にTrack nの先頭フレームのデータが記録された状態となる。
【００４６】
そして、Track nの記録時には、システムコントローラ７は、Track n-1の終端近傍からＣＤ１の再生を開始させ、そしてTrack n-1とTrack nの曲間から再度カウンタをスタートさせる。そして、図８（ｂ）に示すようにシステムコントローラ７は、Track n-1の録音時に予め記録したカウンタの値を参照し、この予め記録したカウンタの値と現在カウント中のカウンタの値とが一致した時点からＣＤ１からＨＤＤ１０へのデータの録音を行う。すなわち、本実施例では、予めＨＤＤ１０に記録されたTrack n-1のデータの最終ブロックにＣＤ１のTrack nの先頭フレームを記録しておき、この最終ブロックに記録されたTrack nのデータ長さ（記録時間）をカウンタにより把握しておき、このデータ長さ分ＣＤ１のTrack nの録音開始をカウンタを用いて遅延させてＣＤ１のTrack n-1の最終端とＨＤＤ１０におけるTrack n-1の最終端の時間ズレ長さを調整し、Track n-1の録音時に音飛びや重複のない音つなぎを実現する。
【００４７】
本実施例の情報記録再生方法によれば、ＣＤ１におけるTrack n-1とTrack nの区切りから、ＨＤＤ１０におけるTrack n-1の終端までの時間に対応するカウント値を取得し、そのカウント値を参照して、Track nを、Track n-1とTrack nを連続再生可能にＨＤＤ１０に保存するので、ノンストップＣＤを録音する場合にも１曲目から順番に録音する必要がなく、曲順に関係なく録音しても音声データを連続して記録することができ、再生時に音声をつなげることができる。
【００４８】
なお、本実施形態の情報記録再生装置１０は、ＣＤからＨＤＤに録音を行う場合を例に挙げて説明したが、これに限られることはなく、ＤＶＤ，Blu-ray等のＣＤ以外の光ディスクや、ＭＤ等の他の記録媒体からＨＤＤ等の各種記録媒体に録音を行う場合に適用可能である。また、音楽データに限らず、動画データ等の他のコンテンツ情報を記録する場合にも適用可能である。
【００４９】
また、本実施形態では、情報記録再生装置１０を例に挙げて説明を行ったが、上記手法に基づいてこの情報記録再生装置１０を動作させるための情報記録プログラムを情報記録再生装置１０に組み込んで上記動作を行わせるようにしてもよい。
【図面の簡単な説明】
【００５０】
【図１】ハードディスクに録音される曲間に無音部分が入る仕組みの説明図
【図２】曲間で重複したデータを録音してしまう仕組みの説明図
【図３】本発明の実施形態の情報記録再生装置を説明するための概略ブロック図
【図４】本実施形態の情報記録再生装置において曲間データの保存動作を説明するためのフローチャート
【図５】本実施形態の情報記録再生装置において録音動作を説明するためのフローチャート
【図６】本実施形態の情報記録再生装置における録音時データ構造
【図７】曲間データを使用して実現する場合の曲間データ取得図、および録音時に曲間データを使用して音つなぎを行う構造の説明図
【図８】カウンタを用いて実現する場合のカウンタ値を保存する構造の説明図、およびカウンタ値を利用して音つなぎを行う構造の説明図
【符号の説明】
【００５１】
１  コンパクトディスク（ＣＤ）
２  ピックアップ
３  キャリッジ
４  サーボ制御回路
５  ドライバ
６  圧縮伸張ディジタルスグナルプロセッサ（ＤＳＰ）
７  システムコントローラ
８  バッファメモリ
９  曲間検出デバイス
１０  ハードディスク（ＨＤＤ）
１１  スピンドルモータ
１２  Ｄ／Ａ変換器
１３  操作部
１４  ＣＤ再生ブロック
１５  システムバス
１６  増幅回路（ＡＭＰ）
１７  スピーカ
１００  情報記録再生装置
【図１】
2007172668.tif 000003
【図２】
2007172668.tif 000004
【図３】
2007172668.tif 000005
【図４】
2007172668.tif 000006
【図５】
2007172668.tif 000007
【図６】
2007172668.tif 000008
【図７】
2007172668.tif 000009
【図８】
2007172668.tif 000010